(57)【要約】【課題】設置する国毎に最適なチャンネル設定を実現できるディジタルテレビ放送受信装置を提供する【解決手段】ディジタルテレビ放送受信装置１０１は、選択された受信国がＡ国で、受信した放送波に含まれるオリジナルネットワークＩＤが受信国設定された国（Ａ国）の場合には、ＬＣＮが存在するチャンネルはＨＤ用ＬＣＮを優先的にＬＣＮと同じチャンネル番号を割り当てる。また、選択された受信国設定がＡ国で、受信した放送波に含まれるオリジナルネットワークＩＤが受信国設定された国以外の場合には、隣国の放送が受信できたとみなし、自国の放送と分類するために、ＬＣＮの有無に関係なく８００番以降の任意のチャンネル番号を割り当てる処理である。【選択図】図３
2010187156.tif 000002
【特許請求の範囲】
【請求項１】
ディジタルテレビ放送に使用されているチャンネルの一覧をチャンネルリストとして記憶する記憶手段と、
前記チャンネルリストを参照して、発信国を特定する情報を含む放送波を受信する受信手段と、
前記チャンネルリストを作成する制御手段と、
を備えたディジタルテレビ放送受信装置において、
前記記憶手段は、前記チャンネルリストに加えて、受信国として選択された国の情報と、放送波に対して割り当てられている論理チャンネル番号であって、高解像度放送用の論理チャンネル番号の情報を含む放送波を発信するように指定された国の情報と、を記憶し、
前記制御手段は、前記選択された国が、前記高解像度放送用の論理チャンネル番号の情報を含む放送波を発信するように指定された国であるとともに、前記放送波に含まれる発信国を特定する情報と前記選択された国とが一致し、かつ、前記受信した放送波が前記高解像度放送用の論理チャンネル番号の情報を含む場合には、この論理チャンネル番号を、その放送波の選択チャンネル番号として、前記チャンネルリストに登録することを特徴とするディジタルテレビ放送受信装置。
【請求項２】
前記制御手段は、
登録済の論理チャンネル番号と同じ論理チャンネル番号の情報を含む放送波を受信した場合には、両放送波が同じ放送局から発信されているか否かを確認し、
前記両放送波が同じ放送局から発信されている場合には、前記論理チャンネル番号を、受信信号強度の高い方の放送波受信用のチャンネル番号に登録し、
前記両放送波が異なる放送局から発信されている場合には、受信信号強度が高い方の放送波の選択チャンネル番号を、前記論理チャンネル番号として登録し、受信信号強度が低い方の放送波の選択チャンネル番号を、予め定めたチャンネル番号群のいずれかとして登録する請求項１に記載のディジタルテレビ放送受信装置。
【請求項３】
前記制御手段は、
前記選択チャンネル番号が登録されている高解像度放送のサイマル放送については、選択チャンネル番号を登録しない請求項１または２に記載のディジタルテレビ放送受信装置。
【発明の詳細な説明】
【技術分野】
【０００１】
本発明は、複数国の放送波を受信した場合に、適切にチャンネルを設定するディジタルテレビ放送受信装置に関する。
【背景技術】
【０００２】
ディジタルテレビ（ディジタルテレビ放送受信装置）に、トランスポートストリーム（ＴＳ：Transport Stream）に含まれるチャンネル構成情報を登録する際には、視聴者に表示するためのチャンネル番号を割り当てる必要がある。すなわち、ＴＳに使用するテーブルの運用方法に関するガイドライン（ヨーロッパ地区標準の技術資料）として発行されているディジタル放送規格ＤＶＢ  ＳＩ規格(ETSI EN 300 468）において、ディジタルテレビ放送のトランスポートストリームは、ＮＩＴ(Network Information Table)を含むように定義されている。ＮＩＴは、伝送路の情報と放送サービスを関連付けるものであり、チャンネル構成情報と、放送国の情報を含む。チャンネル構成情報は、例えば、放送局に固有に割り当てられた論理チャンネル番号(ＬＣＮ:logical_channel_number)と、放送サービスに固有な識別情報(program_number:service idともいう。)を含む。放送国の情報は、例えば、各国に固有に割り当てられたオリジナルネットワークＩＤ(original_network_id)を含む。
【０００３】
また、ヨーロッパの国においては、ディジタルテレビ放送の受信設定をする際に、自国の放送だけでなく隣接する他国などの放送を受信する場合がある。このとき、ある放送局が放送波に対して割り当てたＬＣＮが、別の国の放送局が割り当てたＬＣＮと重複する場合がある。この場合、単に先に受信したチャンネルを設定してしまうと、ユーザにとってわかりにくいチャンネル設定になってしまうという問題があった。
【０００４】
そこで、従来、チャンネル指定情報に応じたチャンネル設定処理を行うディジタルテレビ放送受信装置及び放送受信方法が提案されている（特許文献１参照。）。
【先行技術文献】
【特許文献】
【０００５】
【特許文献１】特開２００８−２５２５６０号公報
【発明の概要】
【発明が解決しようとする課題】
【０００６】
しかしながら、特許文献１に記載の発明では、ＬＣＮが重複した場合、各放送波のチャンネル番号の割り当てをユーザが行わなければならず、煩雑であるという問題があった。
【０００７】
また、ヨーロッパでは、論理チャンネル番号（ＬＣＮ）をディジタルテレビ放送データに含めることを規定している国と、規定していない国が存在する。そのため、特許文献１に記載の発明では、ＬＣＮを放送データに含めることを規定している国で、ＬＣＮが含まれていない放送データを受信した場合には、取得順にチャンネルリストに登録されるため、チャンネルリストがわかりにくくなるという問題があった。
【０００８】
また、近時、ヨーロッパでは、同一放送のＳＤ（Standard Definition:標準解像度）／ＨＤ（High Definition:高解像度）サイマル放送に関連した新しい規格が導入された国があり、チャンネル番号の割り当てが複雑化するという問題があった。
【０００９】
そこで、本発明は、設置する国毎に最適なチャンネル設定を実現できるディジタルテレビ放送受信装置を提供することを目的とする。
【課題を解決するための手段】
【００１０】
この発明では、ディジタルテレビ放送受信装置は、受信国として選択された国が、高解像度放送用の論理チャンネル番号の情報を含む放送波を発信するように指定された国であるとともに、放送波に含まれる発信国を特定する情報と前記選択された国とが一致し、かつ、前記受信した放送波が前記高解像度放送用の論理チャンネル番号の情報を含む場合には、この論理チャンネル番号を、その放送波の選択チャンネル番号として前記チャンネルリストに登録する。したがって、同一放送の標準解像度／高解像度サイマル放送に関連した新しい規格が導入された国を受信国として選択され、放送波が高解像度放送用の論理チャンネル番号の情報を含む場合には、高解像度放送用の論理チャンネルを選択チャンネル番号として確実に登録することができる。
【００１１】
また、この発明では、ディジタルテレビ放送受信装置は、登録済の論理チャンネル番号と同じ論理チャンネル番号の情報を含む放送波を受信した場合には、両放送波が同じ放送局から発信されているか否かを確認する。そして、前記両放送波が同じ放送局から発信されている場合には、前記論理チャンネル番号を、受信信号強度の高い方の放送波受信用のチャンネル番号に登録する。また、前記両放送波が異なる放送局から発信されている場合には、受信信号強度が高い方の放送波の選択チャンネル番号を、前記論理チャンネル番号として登録し、受信信号強度が低い方の放送波の選択チャンネル番号を、予め定めたチャンネル番号群のいずれかとして登録する。したがって、同じ論理チャンネル番号の放送波を受信した場合に、同じ放送局から放送波が発信されている場合には一方のみを登録するので、同じ放送局を重複して登録するのを防止できる。また、異なる放送局から放送波が発信されている場合には両方とも登録し、一方は予め定めたチャンネル群に登録するので、異なる放送局を確実に登録でき、また、チャンネルを選択する際にも間違えることなく選局できる。
【００１２】
また、この発明では、ディジタルテレビ放送受信装置は、前記選択チャンネル番号が登録されている高解像度放送のサイマル放送については、選択チャンネル番号を登録しない。したがって、高解像度放送チャンネルと、標準解像度放送チャンネルはサイマル放送（同じ内容の放送）であるため、両チャンネルを登録すると、同じ番組を放送するチャンネルを２重に登録することになる。そこで、ＨＤ用チャンネルのみを登録することで、登録チャンネル数を削減でき、また、高解像度のチャンネルのみを登録することで、ユーザがチャンネル操作を行う際の操作性を向上し、また、ユーザはきれいな映像を視聴することができる。
【発明の効果】
【００１３】
本発明に係るディジタルテレビ放送受信装置によると、サイマル放送に関連した新しい規格が導入された国も含めて、放送局が指定した論理チャンネル番号が放送波に含まれているか否かにかかわらず、放送の受信を指定した国に応じたチャンネル設定を実現できる。
【図面の簡単な説明】
【００１４】
【図１】本発明の実施形態であるディジタルテレビジョンの主要な構成を示すブロック図である。
【図２】国毎のオリジナルネットワークＩＤと、ＬＣＮとの関係を表わす図である。
【図３】国設定とオリジナルネットワークＩＤの関係を示す表である。
【図４】本発明のディジタルテレビジョンの動作を説明するためのフローチャートである。
【図５】本発明のディジタルテレビジョンの動作を説明するためのフローチャートである。
【発明を実施するための形態】
【００１５】
以下、本発明の実施形態であるディジタルテレビ放送受信装置について説明する。
【００１６】
図１は、本発明の実施形態であるディジタルテレビジョンの主要な構成を示すブロック図である。ディジタルテレビジョン（以下、ＴＶと称する。）１０１は、装置の各部の動作を制御する制御部２と、選択されたチャンネル（以下、ＣＨと称する）のテレビ放送波を受信するチューナ３と、受信したテレビ放送波をディジタルデータに復調する復調部４を備える。また、ＴＶ１０１は、復調したディジタルデータから画像データと音声データとを分離し、両データを伸長するデコーダ５と、所望のＯＳＤ（On Screen Display）画像と画像データに基づく画像とを合成する画像合成部６と、画像データと音声データとの信号をアナログの信号に変換するＤ／Ａ変換部８を備える。さらに、ＴＶ１０１は、ユーザの操作を受付ける操作部１１と、選択チャンネル番号の登録情報などを記憶するデータメモリ１４と、制御プログラムを記憶する記憶部１５と、画像を画面上に表示する表示部９と、音声を放音するスピーカ１０と、を備える。
【００１７】
データメモリ（記憶手段）１４は、例えばＥＥＰＲＯＭで構成される。データメモリ１４は、ディジタルテレビ放送に使用されているチャンネルの一覧をチャンネルリストとして記憶する。
【００１８】
記憶部１５は、例えばＲＯＭで構成される。記憶部１５は、装置本体各部の制御方法が記述された制御プログラムを予め記憶する。また、各国のオリジナルネットワークＩＤやＬＣＮの対応国（論理チャンネル番号の情報を含む放送波を発信するように指定された国）か否かの情報等を含むテーブルを記憶している。
【００１９】
制御部２は、例えばマイクロコンピュータで構成される。制御部２は、上記制御プログラムにより処理されるデータ等を展開するためのワークフィールドとしてのＲＡＭ（不図示）と、現在時刻を計時する計時部（不図示）と、を内蔵する。
【００２０】
操作部１１は、リモコン２００から送信された信号を受信する受光部１１Ａを有する。操作部１１とリモコン２００とは、同様のキーを有する。
【００２１】
チューナ（受信手段）３は、アンテナ３０で受信しているテレビ放送波から、制御部２の指示に基づいて、選択されている物理チャンネルのテレビ放送波を受信（抽出）し、出力する。
【００２２】
復調部４は、チューナ３から出力されたテレビ放送波を復調して、ディジタルデータであるトランスポートストリーム（以下、ＴＳと称する。）を取得し、出力する。このＴＳには、各テレビ番組の画像や音声等の要素信号が納められたＴＳパケットが多重されている。また、ＴＳには、前記のように、ＮＩＴ(Network Information Table)を含む。ＮＩＴは、伝送路の情報と放送サービスを関連付けるものであり、チャンネル構成情報と、放送国の情報を含む。チャンネル構成情報は、例えば、放送局に固有に割り当てられた論理チャンネル番号(ＬＣＮ:logical_channel_number)と、放送サービスに固有な識別情報(program_number:service idともいう。)を含む。放送国の情報は、例えば、各国に固有に割り当てられた、放送波の発信国を特定するための情報であるオリジナルネットワークＩＤ(original_network_id)を含む。
【００２３】
デコーダ５は、復調部４から出力されたＴＳから、画像データと音声データと制御データとを分離抽出する。ここで、分離抽出された画像データは、例えばＭＰＥＧでエンコードされている。そして、デコーダ５は、画像データをデコードして出力する。出力された画像データは、画像合成部６を介して、Ｄ／Ａ変換部８に入力される。また、デコーダ５は、音声データをデコードし、Ｄ／Ａ変換部８に出力する。
【００２４】
画像合成部６は、文字又は図形からなるＯＳＤ（オンスクリーンディスプレイ）を記憶する画像メモリ（不図示）を内蔵する。画像合成部６は、制御部２の指示に基づいて、画像データに基づく画像と、画像メモリが記憶しているＯＳＤと、を合成する。画像合成部６は、その合成された画像データをＤ／Ａ変換部８に出力する。または、画像合成部６は、制御部２の指示に基づいて、入力された画像データをそのままＤ／Ａ変換部８に出力する。
【００２５】
Ｄ／Ａ変換部８は、デコーダ５が出力した画像データ（合成データを含む）の信号をアナログの再生画像信号に変換し、表示部９に出力する。表示部９は、例えばＬＣＤ（Liquid Crystal Display）である。また、Ｄ／Ａ変換部８は、デコーダ５が出力した音声データの信号をアナログの再生音声信号に変換し、スピーカ１０に出力する。
【００２６】
ユーザは、表示部９及びスピーカ１０において、Ｄ／Ａ変換部８から出力された画像信号に基づく画像と音声信号に基づく音声とを視聴する。
【００２７】
次に、図２を参照して、ディジタル放送のＴＳにおいて規定される関係について説明する。図２は、国毎のオリジナルネットワークＩＤと、ＬＣＮとの関係を表わす図である。
【００２８】
前述のように、ヨーロッパのディジタルテレビ放送においては、ＴＳに含まれるチャンネル構成情報を受信装置に登録する際、当該テレビジョン受像装置が表示するチャンネル番号を割り当てる必要がある。
【００２９】
また、ヨーロッパの国においては、そのチャンネル番号情報をＴＳに含めることを規定している国と含まないことを規定している国とが存在する。
【００３０】
さらに、近時、ヨーロッパでは、同一放送のＳＤ（Standard Definition:標準解像度）／ＨＤ（High Definition:高解像度）サイマル放送に関連した新しい規格が導入された国がある。これらの国では、ＨＤ用のチャンネル番号情報をＴＳに含めることが既定されている。
【００３１】
具体的には、図２に示したように、イギリス、フランス及びイタリアは、チャンネル番号情報として、ＳＤ用の論理チャンネル番号ＬＣＮをＴＳに含めることを規定している。一方、ドイツ及びスペインは、ＳＤ用の論理チャンネル番号をＴＳに含めないことを規定している。また、イギリス及びフランスは、ＳＤ／ＨＤサイマル放送に関連した新しい規格が導入されており、チャンネル番号情報として、ＨＤ用の論理チャンネル番号ＬＣＮをＴＳに含めることを規定している。一方、イタリア、ドイツ及びスペインでは、ＳＤ／ＨＤサイマル放送に関連した新しい規格は導入されていないので、ＨＤ用の論理チャンネル番号をＴＳに含めることは既定されていない。
【００３２】
したがって、ヨーロッパの国々は、ＴＳの規定に関して、ＨＤ用ＬＣＮとＳＤ用ＬＣＮの両方が必要な国（以下Ａ国と称する。）と、ＳＤ用ＬＣＮが必要な国（以下Ｂ国と称する。）と、ＬＣＮが不要な国（以下、Ｃ国と称する。）と、の３通りに分類することができる。
【００３３】
なお、ディジタル放送のＴＳについては、ヨーロッパの各国がそれぞれ規定書に規定している。例えば、フランスでは「SERVICES ET PROFIL DE SIGNALISATION POUR LA DIFFUSIONDE LA TV NUMERIQUE DE TERRE version 3.0」に規定を記載している。
【００３４】
上記のように、ヨーロッパの国々はＴＳの規定に関して３通りに分類することができるので、本発明のＴＶ１０１は、Ａ国、Ｂ国、Ｃ国のそれぞれに対応して、チャンネル番号を登録できるように構成している。
【００３５】
図３は、国設定とオリジナルネットワークＩＤの関係を示す表である。ＴＶ１０１に選択された受信国設定がＡ国で、受信した放送波に含まれるオリジナルネットワークＩＤが受信国設定された国（Ａ国）の場合には、処理Ａを行う。処理Ａとは、ＬＣＮが存在するチャンネルはＨＤ用ＬＣＮを優先的にＬＣＮと同じチャンネル番号を割り当てる。また、ＬＣＮが存在しないチャンネル番号は８００番（予め定めたチャンネル番号群）以降の任意のチャンネル番号を割り当てる処理である。
【００３６】
また、ＴＶ１０１に選択された受信国設定がＡ国で、受信した放送波に含まれるオリジナルネットワークＩＤが受信国設定された国以外（Ｂ国またはＣ国）の場合には、処理Ｄを行う。処理Ｄとは、隣国の放送が受信できたとみなし、自国の放送と分類するために、ＬＣＮの有無に関係なく８００番以降の任意のチャンネル番号を割り当てる処理である。
【００３７】
また、ＴＶ１０１に選択された受信国設定がＢ国で、受信した放送波に含まれるオリジナルネットワークＩＤが受信国設定された国（Ｂ国）の場合には、処理Ｂを行う。処理Ｂとは、ＬＣＮが存在するチャンネルはＬＣＮと同じチャンネル番号を割り当てる。また、ＬＣＮが存在しないチャンネル番号は８００番（予め定めたチャンネル番号群）以降の任意のチャンネル番号を割り当てる処理である。
【００３８】
また、ＴＶ１０１に選択された受信国設定がＢ国で、受信した放送波に含まれるオリジナルネットワークＩＤが受信国設定された国以外（Ａ国またはＣ国）の場合には、前述の処理Ｄを行う。
【００３９】
また、ＴＶ１０１に選択された受信国設定がＣ国で、受信した放送波に含まれるオリジナルネットワークＩＤが受信国設定された国（Ｃ国）の場合には、処理Ｃを行う。処理Ｃとは、全てＬＣＮが存在しないチャンネルのため、周波数の低い方から順にスキャンしてチャンネル番号を割り当てる処理である。
【００４０】
また、ＴＶ１０１に選択された受信国設定がＣ国で、受信した放送波に含まれるオリジナルネットワークＩＤが受信国設定された国以外（Ａ国またはＢ国）の場合には、前述の処理Ｄを行う。
【００４１】
本発明のＴＶ１０１では、このように設定することで、ヨーロッパの各国において、チャンネル番号の登録を適切に行うことができる。
【００４２】
次に、ＴＶ１０１のチャンネル番号の登録動作についてフローチャートに基づいて説明する。図４及び図５は、本発明のディジタルテレビジョンの動作を説明するためのフローチャートである。
【００４３】
ＴＶ１０１の制御部２は、ＴＶ１０１のユーザが、操作部１１またはリモコン２００を操作して表示部９に表示されるメニュー画面において、「チャンネル番号登録処理」の項目を選択したことを検出すると（ｓ１０：Ｙ）、受信国の設定を促す表示を表示部９に表示させる（ｓ２０）。なお、チャンネル番号登録処理」は、ディジタルテレビ放送に使用されているチャンネルの一覧であるチャンネルリストを作成する処理である。
【００４４】
制御部２は、受信国が設定されたことを検出すると（ｓ３０：Ｙ）、チャンネルのスキャン動作を開始して、受信できるチャンネル（放送波）の確認を行う（ｓ４０）。
【００４５】
制御部２は、チャンネルのスキャン動作が終了すると（ｓ５０：Ｙ）、ＲＯＭ１５に記憶させた受信国の対応テーブルを読み出して、選択された受信国がＬＣＮの対応国（ＴＳにＬＣＮの情報を含めるように指定された国）であるか否かを確認する（ｓ６０）。制御部２は、選択された受信国がＬＣＮの設定に対応している国であると判定すると（ｓ６０：Ｙ）、続いて、周波数の低い放送波から順に以下の処理を行う。すなわち、受信したディジタルテレビ放送のＴＳに含まれるオリジナルネットワークＩＤが選択された受信国（データメモリ１４）に一致するか否かを判定する（ｓ７０）。制御部２は、オリジナルネットワークＩＤと選択された受信国が一致すると判定すると（ｓ７０：Ｙ）、受信したディジタルテレビ放送から検出したチャンネル番号についてＬＣＮ情報が含まれているか否かを判定する（ｓ８０）。制御部２は、ＬＣＮ情報がそのＴＳに含まれていると判定すると（ｓ８０：Ｙ）、続いて、選択された受信国がＨＤ用のＬＣＮの対応国か否かを判定する（ｓ９０）。制御部２は、受信国の設定がＨＤ用のＬＣＮの対応国の場合には（ｓ９０：Ｙ）、ＨＤ用のＬＣＮを優先的に指定されたチャンネル番号を登録する。すなわち、ＴＳにＨＤ用のＬＣＮとＳＤ用のＬＣＮが記載されている場合には、ＨＤ用のＬＣＮを選択チャンネル番号として登録する。また、ＴＳにＳＤ用のＬＣＮのみが記載されている場合は、ＳＤ用のＬＣＮを選択チャンネル番号情報として登録する（ｓ１００）。
【００４６】
一方、制御部２は、受信国の設定がＨＤ用のＬＣＮの対応国でない場合には（ｓ９０：Ｎ）、ＴＳにはＳＤ用のＬＣＮのみが記載されているので、このＳＤ用のＬＣＮと同じチャンネル番号を選択チャンネル番号として登録する（ｓ１１０）。
【００４７】
また、制御部２は、ステップｓ１００及びステップｓ１１０において選択チャンネル番号を登録する際に、ＴＳに含まれているＬＣＮが、登録済の論理チャンネル番号と同じ論理チャンネル番号の場合には（ｓ１２０）、両放送波が同じサービスＩＤ（service id）であるか、つまり、同じ放送局からのものであるか否かを確認する（ｓ１３０）。制御部２は、同じサービスＩＤの場合には、受信信号強度の前記論理チャンネル番号を、受信信号強度の高い方の放送波受信用のチャンネル番号に登録する（ｓ１４０）。一方、制御部２は、同じサービスＩＤでない場合（異なる放送局の場合）には、受信信号強度が高い方の放送波の選択チャンネル番号を、前記論理チャンネル番号として登録し、受信信号強度が低い方の放送波の選択チャンネル番号を、８００番以降のチャンネル番号（予め定めたチャンネル番号群）のいずれかとして登録する（ｓ１５０）。
【００４８】
制御部２は、ステップｓ１４０またはステップｓ１５０の処理が完了すると、全てのチャンネルの登録が完了したか否かを確認し（ｓ１６０）、全ての登録が完了していれば（ｓ１６０：Ｙ）、処理を終了する。一方、制御部２は、全ての登録が完了していなければ（ｓ１６０：Ｎ）、ステップｓ６０以降の処理を繰り返す。
【００４９】
また、制御部２は、ステップｓ６０において、選択された受信国がＬＣＮの設定に対応している国でないと判定すると（ｓ６０：Ｎ）、続いて、周波数の低い放送波から順に以下の処理を行う。すなわち、受信したディジタルテレビ放送のＴＳに含まれるオリジナルネットワークＩＤが選択された受信国（データメモリ１４）に一致するか否かを判定する（ｓ１７０）。制御部２は、オリジナルネットワークＩＤと選択された受信国が一致すると判定すると（ｓ１７０：Ｙ）、（放送波にはＬＣＮが含まれていないので）、１番から順に選択チャンネル番号を登録する（ｓ１８０）。続いて、ステップｓ１６０の処理を行う。
【００５０】
一方、制御部２は、オリジナルネットワークＩＤと選択された受信国が一致しないと判定すると（ｓ１７０：Ｎ）、８００番以降のチャンネル番号（予め定めたチャンネル番号群）の低い方向から順に選択チャンネル番号を登録する（ｓ１９０）。
【００５１】
また、制御部２は、ステップ７０においてオリジナルネットワークＩＤと選択された受信国が一致しないと判定した場合（ｓ７０：Ｎ）、及びステップｓ８０においてＬＣＮ情報がそのＴＳに含まれていないと判定した場合（ｓ８０：Ｎ）にも、ステップｓ１９０の処理を行う。そして、ステップｓ１６０の処理を行う。
【００５２】
また、上記の処理において、ステップｓ１００において、ＨＤ（高解像度放送）用のＬＣＮを選択チャンネル番号として登録した場合には、このサイマル放送であるＳＤ（標準解像度放送）用のＬＣＮは登録しないようにしても良い。すなわち、ＨＤチャンネルと、ＳＤチャンネルはサイマル放送であるため、両チャンネルを登録すると、同じ番組を放送するチャンネルを２重に登録することになる。そこで、ＨＤ用チャンネルのみを登録することで、登録チャンネル数を削減でき、また、高解像度のチャンネルのみを登録することで、ユーザがチャンネル操作を行う際の操作性を向上し、また、ユーザはきれいな映像を視聴することができる。
【００５３】
なお、上記の説明において、予め定めたチャンネル番号群として、チャンネル番号８００以降のチャンネル番号に他国の放送などを登録するようにしたが、受信のためのチャンネル番号としては、これに限るものではなく、規格などに応じて特定される番号であればよい。
【００５４】
以上のように、ＴＶ１０１では、設置される国（選択された受信国）の放送は、ＬＣＮに基づいて、または受信順に選択チャンネル番号が設定され、他国の放送などは予め定めたチャンネル番号群のいずれかとして登録するので、自国で放送されるディジタルテレビ放送波の視聴のためのチャンネルと、近隣の国で放送されるディジタルテレビ放送の視聴のためのチャンネルとを、明確に区別して設定することができる。これにより、チャンネルの設定が容易なディジタルテレビ放送受信装置が提供される。
【符号の説明】
【００５５】
１０…スピーカ      １０１…ディジタルテレビ放送受信装置      １１…操作部      １１Ａ…受光部      １４…データメモリ    １５…記憶部    ２…制御部    ２００…リモコン    ３…チューナ    ３０…アンテナ    ４…復調部    ５…デコーダ    ６…画像合成部    ８…Ｄ／Ａ変換部    ９…表示部
【図１】
2010187156.tif 000003
【図２】
2010187156.tif 000004
【図３】
2010187156.tif 000005
【図４】
2010187156.tif 000006
【図５】
2010187156.tif 000007